(57)【特許請求の範囲】
【請求項１】
通信機能に依存しないアプリケーションを実行する携帯通信端末において、
前記アプリケーションの実行中に着信を検出すると、前記アプリケーションが終了した際に前記着信のあった旨を報知する制御手段を備え、
前記制御手段は、前記アプリケーションが終了した際に、所定時間を空けてから、触覚による方法で前記着信のあった旨を報知することを特徴とする携帯通信端末。
【請求項２】
通信機能に依存しないアプリケーションを実行する携帯通信端末の制御方法において、
前記アプリケーションの実行中に着信を検出すると、前記アプリケーションが終了した際に、所定時間を空けてから、触覚による方法で前記着信のあった旨を報知することを特徴とする携帯通信端末の制御方法。
【発明の詳細な説明】
【技術分野】
【０００１】
本発明は、アプリケーションの実行等、通信機能に依存しないモードを有する携帯通信端末に関する。
【背景技術】
【０００２】
近年の携帯通信端末は、高機能化と市場のニーズによりカメラ付きの携帯電話や情報端末（ＰＤＡ：Ｐｅｒｓｏｎａｌ  Ｄｉｇｉｔａｌ  Ａｓｓｉｓｔａｎｔ）の機能を搭載した携帯電話機が広く普及し始めている。
【０００３】
これらカメラ付きの携帯電話にあっては、一瞬の状態を記録するための静止画撮影を行うスチルカメラから一定時間の動画像を撮影するためのビデオカメラ的なものへと変わりつつある。
【０００４】
一方、通常の携帯電話に於いても付加価値を高めるために多岐に渡るアプリケーションが搭載されてきている。
【０００５】
これらの付加機能が搭載されることにより、音声通話より付加機能であるアプリケーションの利用を優先する考え方が出てきている。
一例としてはカメラ付き携帯電話での撮影や、ゲーム機能、音声再生機能等が考えられる。
【０００６】
これらの状況ではアプリケーションの利用を優先したいために、ユーザはアプリケーション利用中に着信した音声通話を制限する方法などが採用されている。
【０００７】
このような制限の方法として、例えば、音声通話に出られないことを相手にアナウンスし、留録モードに切替え、あるいは、相手の電話番号を記憶して着信履歴として残すことが行なわれている（以下、制限モードと呼ぶ）。
【０００８】
また、下記の特許文献１には、アプリケーションを有する携帯電話装置を開示している。
【特許文献１】特開２００２−２３２９５９号公報
【発明の開示】
【発明が解決しようとする課題】
【０００９】
しかしながら上記した対応では、アプリケーション毎に音声通話を優先させるかアプリケーションを優先させるかを、携帯通信端末のユーザの意向に合わせて最適に設定することが出来なかった。
【００１０】
また、制限モードに移行させることに関してはユーザが意識的に行っているが、この制限モード中（アプリケーションを優先している状態）に着信があるということを意識しながらアプリケーションを利用している人は皆無である。
【００１１】
このような問題に対して、アプリケーションを終了した時点、つまり待ち受け画面等に着信があった旨を表示するようにしているものがあるが、アプリケーションを終了させたときに画面表示を見ない場合は、着信があったこと、あるいは録音されていることに気がつかないまま放置してしまうという問題があった。
【００１２】
本発明は上記事情に鑑みてなされたものであり、カメラ機能、ゲーム機能、音楽、映像再生機能などの通信機能に依存しないモードを実行しているときに着信等により邪魔されることなく、また、上記したモードの実行が終了したときに、モード実行中に着信があったことを確実にユーザに報知することのできる、携帯通信端末を提供することを目的とする。
【課題を解決するための手段】
【００１３】
上記した課題を解決するために本発明は、通信機能に依存しないモードを有する携帯通信端末において、前記携帯通信端末の動作設定を行うための操作手段と、前記モードの実行中に検出した着信の報知方法を前記操作手段の入力に基づいて設定する設定手段と、該設定手段の設定に基づいて前記モードの実行中における着信報知を制御する制御手段と、を備えたことを特徴とする。
【００１４】
本発明によれば、制御手段が、通信機能に依存しないモードの実行中に検出した着信を報知するか否かの設定に基づき前記モードの実行中における着信報知を制御することで、ユーザ自らがアプリケーションにあった着信報知の方法を設定することができ、使い勝手の向上がはかれる。
【００１５】
また、本発明において、前記設定手段が、前記モードの実行中に検出した着信を前記モードが終了した際に報知する設定をしているとき、前記制御手段は、前記モードの実行中に検出した着信を、該モードが終了した際に報知することを特徴とする。
【００１６】
本発明によれば、制御手段が、例えば、表示画面が着信待ち受け画面に戻った場合や折畳型携帯通信端末が折畳まれた時点等、アプリケーションを終了した時点で着信があった旨を報知することで、ユーザに対し、アプリケーション実行中にあった着信に気づかせることができる。
【００１７】
また、本発明において、前記着信の報知をする場合、表示手段の表示画面に前記着信のあった旨の表示をすることを特徴とする。
【００１８】
本発明によれば、制御手段がアプリケーション実行中にあった着信を表示画面に表示することで、ユーザはその着信についての属性を詳しく確認することができる。
【００１９】
また、本発明において、前記着信の報知をする場合、表示手段の表示画面に表示する以外の方法で前記着信のあった旨の表示をすることを特徴とする。
【００２０】
本発明によれば、制御手段が、例えば、振動、点灯、点滅、音または音声などを使用して報知することで、ユーザは、視覚によらず、聴覚や触覚などによりアプリケーション実行中の着信に気づくこことができる。
【００２１】
また、本発明において、前記着信の報知をする場合、表示手段の表示画面に表示する以外の方法で前記着信のあった旨を報知した後に、前記表示画面に前記着信のあった旨を表示することを特徴とする。
【００２２】
本発明によれば、まず、ユーザに対しアプリケーション実行中の着信を確実に気づかせることができると共に、その着信属性を詳しく確認させることもできる。
【００２３】
また、本発明において、前記着信の報知をする場合、前記モードの実行中に検出した着信の種別に基づいて報知方法を異ならせることを特徴とする。
【００２４】
本発明によれば、制御手段が、例えば、メール受信や音声着信など、着信の種別に基づいて報知方法を変えることで、ユーザは報知された時点で即座にその着信種別が判断できる。
【００２５】
このことにより、例えば、メールの受信履歴を確認すればよいのか、着信履歴を確認すればよいのかを即座に判断できる。
【００２６】
また、本発明において、前記着信の報知をする場合、前記モードの実行中に検出した着信に対する応答種別に基づいて報知方法を異ならせることを特徴とする。
【００２７】
本発明によれば、制御手段が、例えば、未応答、留守録などの応答種別に基づいて報知方法を変えることにより、ユーザは、報知された時点で即座にその応答種別が判断できる。
【００２８】
このことにより、例えば、着信履歴を確認すればよいのか、留守録に記録されたデータを再生すればよいのかを即座に判断できる。
【発明の効果】
【００２９】
以上説明のように本発明によれば、通信機能に依存しないモードを有する携帯通信端末において、着信等によって邪魔されることなく上記通信機能に依存しないモードの実行に集中することができる。
【００３０】
また、上記モードの実行を終了したときに、このモード実行中に着信があったことを確実に報知することができるため、ユーザは、着信があったこと、あるいは留守録されていることに気がつかないまま放置してしまうといったことは無くなり、使い勝手の向上がはかれる。
【発明を実施するための最良の形態】
【００３１】
以下、本発明の一実施形態につき、図面を用いて詳細に説明する。
【００３２】
ここでは、通信機能に依存しないモード（アプリケーョン）の例としてカメラ撮影を例示して説明する。
【００３３】
図１および図２は、本発明の一実施形態であるカメラ付き携帯電話の外観構成を示す図である。
【００３４】
図１、図２において、符号１は携帯電話本体である。
【００３５】
この携帯電話本体１には、アンテナ２、操作部３、マイク４、カメラ５、着信用ＬＥＤ（Ｌｉｇｈｔ  Ｅｍｉｔｔｅｄ  Ｄｉｏｄｅ）６、着信報知用スピーカ７、受話スピーカ８、表示部９が付属しており、携帯電話本体１の背面（表示部の有る面を正面とした場合）にカメラ５が実装されている基本的な構成となっている。
【００３６】
操作部３は、各種操作指示を行うためのものである。
【００３７】
この操作部３には電源ボタン、着信ボタン、シャッターボタン、機能選択キー（ファンクションキー）などの各種ボタン及び操作キーが設けられている。
【００３８】
表示部９はＬＣＤ（Ｌｉｑｕｉｄ  Ｃｒｙｓｔａｌ  Ｄｉｓｐｌａｙ）からなり、電話番号の表示、カメラモードなどアプリケーション等の表示、メニュー画面などの表示を行う。
【００３９】
また、この表示部９にはカメラ５が映している画像や、取り込んだ画像なども表示される。
【００４０】
なお、カメラ５は、ＣＣＤ（Ｃｈａｒｇｅ  Ｃｏｕｐｌｅｄ  Ｄｅｖｉｃｅ）撮影素子などが用いられ、表示部９の面に対して反対の面（背面）に設けられている。
【００４１】
着信用ＬＥＤ６は、着信があった時に点灯／点滅することでユーザに着信を報知するものである。
【００４２】
この着信用ＬＥＤ６は、着信があったときに出来るだけ携帯電話のどの面を見てもユーザが気付くように、同様に点灯／点滅して着信を報知する表示部９がカバーできない位置に設けられている。
【００４３】
このような構成のカメラ付き携帯電話にあっては、音声通話の他に、データ通信、インターネットブラウザの使用も含む通信機能を実行する場合と、通信機能に依存しない、カメラ、ゲーム、データ再生等のアプリケーションを実行する２つの使用形態がある。
【００４４】
図３は本発明の一実施形態であるカメラ付き携帯電話の回路構成を示すブロック図である。
【００４５】
携帯電話は、携帯電話全体の制御を司るＣＰＵを内蔵した制御部１８に各機能ブロックが接続された構成を有する。
【００４６】
アンテナ１１は、通信に使用する電波の送信／受信を行う。
【００４７】
メモリ１９は、例えば、ＲＯＭ（Ｒｅａｄ  Ｏｎｌｙ  Ｍｅｍｏｒｙ）、および不揮発性のＲＡＭ（Ｒａｎｄｏｍ  Ａｃｃｅｓｓ  Ｍｅｍｏｒｙ）から構成され、制御部１８やディジタル信号処理プロセッサ（ＤＳＰ：Ｄｉｇｉｔａｌ  Ｓｉｇｎａｌ  Ｐｒｏｃｅｓｓｏｒ）１３が実行するプログラムや、送受信メール、着信音データ、アドレス帳データ、画像データなどのデータ及び本発明の特徴であるモード設定データ等を記憶する。
【００４８】
無線部１２は、ＤＳＰ１３から受信した制御信号、音声信号等を所定の変調方式で変調しアンテナ１１へ出力し、アンテナ１１から入力された受信信号の復調を行い、その復調信号をＤＳＰ１３へ入力する。
【００４９】
Ｄ／Ａ（Ｄｉｇｉｔａｌ−Ａｎａｌｏｇ）コンバータ１６はＤＳＰ１３の出力するディジタル音声信号や着信音等をアナログ音声信号に変換して、スピーカ１７に供給する。
【００５０】
同様にＡ／Ｄ（Ａｎａｌｏｇ−Ｄｉｇｉｔａｌ）コンバータ１４はマイク１５から入力されるアナログ音声信号をディジタル音声信号に変換してＤＳＰ１３に供給する。
【００５１】
操作部２１は、例えばテンキー（０〜９の数字キー）＊、＃等の記号キー及びオンフックキー、オフフックキー、電源ボタン、シャッターボタン、機能選択キー（ファンクションキー）等から構成され、ユーザと携帯電話とのインターフェースとして機能する。
【００５２】
また、ユーザが動作設定（通信機能に依存しないモード中の着信報知方法等）を行うための操作手段としても機能する。
【００５３】
表示部２０は、例えば、液晶ディスプレイや液晶タッチパネルなどからなり、ユーザの操作内容や操作メニュー、アドレス帳、携帯電話機の状態、時刻などを表示する。
【００５４】
一方、カメラ２３は、例えばＣＣＤ等の撮像素子とレンズ等の光学系から構成される。
【００５５】
画像処理プロセッサ２４は、画像データの処理、加工、圧縮、伸長を行う。
【００５６】
バッファメモリ２５はＣＣＤの出力に基づく画像データが一時的に格納されるメモリであり、メモリーカード（図示せず）に対する画像データの入出力速度の違いや、ＣＰＵ１８やＤＳＰ１３等の処理速度の違いを緩和するために利用される。
【００５７】
また、例えば本携帯電話機がテレビ電話機能を行う場合などにも使用される。
【００５８】
有線／無線通信インターフェース２６は、外部機器との通信を行うためのインターフェースで、無線通信インターフェースの場合には比較的短距離（約１０ｍ程度）の通信を行うインターフェースであり、ＩｒＤＡ（ＩｎｆＲａｒｅｄ  Ｄａｔａ  Ａｓｓｏｃｉａｔｉｏｎ）等の赤外線通信インターフェース、Ｂｌｕｅｔｏｏｔｈ等の電波を用いる通信インターフェース等がある。
【００５９】
制御部（ＣＰＵ）１８は、例えばマイクロプロセッサ等のＣＰＵを内蔵し、携帯電話全体の動作を制御する。
【００６０】
そして、カメラ部２３、画像処理プロセッサ２４、バッファメモリ２５、メモリ１９、有線／無線通信インターフェース２６などがバス２２を介してそれぞれ制御部１８に接続されている。
【００６１】
なお、本発明の携帯通信端末としての構成要件である、通信機能に依存しないモードの実行中に検出した着信の報知方法を操作手段の入力に基づいて設定する設定手段と、前記モードの実行中における着信報知を制御する制御手段は、具体的に、制御部１８がメモリ１９に記録されたプログラムを読み出し、バス２２に接続される各ブロック１３、１８、１９、２０、２１、２３、２４、２５、２６と協働して実行することにより実現される。
【００６２】
尚、報知方法の設定は、通信機能に依存しないモードの実行中に検出した着信を報知する動作パターンをいくつか用意し、ユーザに選択させることにより設定することが好ましい。
【００６３】
図４は、本発明の一実施形態であるカメラ付き携帯電話の動作を示すフローチャートであり、詳しくは、カメラ撮影中の音声着信を留守録音し撮影終了後、ユーザに留守録として処理したことを音声報知する処理を示す。
【００６４】
以下、図４に示すフローチャートを参照しながら図１〜図３に示す本発明一実施形態の動作について説明する。
【００６５】
制御部１８は、相手からの着信を検出すると、ステップＳ１において、通信機能に依存しないモードであるカメラモードに切り替えられていることのチェックを行う。
【００６６】
ここで、カメラモードとはカメラ２３が取り込んだ画像を表示部２０に表示しているような状態であり、いつでもシャッターを押すことで画像が取り込める状態を示している。
【００６７】
また、これは、動画の撮影だけでなく、静止画の撮影モードも含まれる。
【００６８】
次に上記したステップ（Ｓ１）によりカメラモードに切替わっていることを判別した制御部１８は、処理をステップＳ１からステップＳ２に進め、メモリ１９を参照することによりユーザが現在使用しているアプリケーションの設定状態を判断し、アプリケーションを優先する設定になっている場合は、ステップＳ２からステップＳ３の処理に進める。
【００６９】
ステップＳ３では、「只今、電話に出られません・・・」等のアナウンスを流し留守録モードに切替える。
【００７０】
ステップＳ３の処理は、ユーザの設定によっては留守録モードに切替えず、「折り返し、電話します・・・」等のアナウンスを流して着信履歴のみを記憶することも出来る。
【００７１】
一方、着信がデータ通信（メール等）の場合は、アナウンスを返すことなく、そのデータを受信してメモリ１９に格納することが出来る。
【００７２】
次に、制御部１８は、ステップＳ４の処理に進み、カメラモードが解除されるのを待つ。
【００７３】
ステップＳ４で、カメラモードが解除されたことが判断されると、ステップＳ５の処理に進み、ユーザの設定に応じた着信報知を行い、撮影中に着信があったことを知らせる。
【００７４】
この場合、カメラモードが解除されて、いきなり着信報知を行うと驚くので、少し間を空けてから着信報知する方が親切である。
【００７５】
一方、ステップＳ１の処理において、カメラモードに切替わっていなかったときは、ステップＳ１３の処理に進み、通常の着信扱いになる。
【００７６】
また、ステップＳ２の処理において、通信機能を優先する設定にしていた場合は、ステップＳ７の処理に進み、現在使用中のアプリケーションの実行を一時停止させる。
【００７７】
アプリケーションの停止方法については、例えば、文字入力している場合は文字変換が終了するまで待つ等の考慮も必要である。
【００７８】
制御部１８は、ステップＳ７の処理でアプリケーションを停止させると、ステップＳ８の処理に進み、ユーザの設定に応じた着信報知方法で着信中であることを知らせる。
【００７９】
この場合、文字入力中は、画面や文字の色を変えるまたは背景を変えるなど変化をつけて報知することも考えられる。
【００８０】
次にステップＳ９の処理に進み、オンフックするとステップＳ１０の処理で通話を開始する。
【００８１】
通話が終了し、ステップＳ１１の処理でオフフックされたことが判断されるとステップＳ１２の処理に進み、ステップＳ７の処理で一時停止されていたアプリケーションを再開させる。
【００８２】
なお、通信機能に依存しないモードの設定および着信報知方法の設定は、いずれもカメラ付き携帯電話使用開始前の環境設定時、表示部２０にガイダンス表示された内容に従って操作部２１を用いて選択操作することによりなされる。
【００８３】
ここで、選択操作された内容はデフォルトとしてメモリ１９に格納され、以降、制御部１８がその設定内容に従うモードで制御し、更に通信機能に依存しないモード実行中における着信報知を行う。
【００８４】
また、先にデフォルト設定した内容は、使用中同じ操作方法によって動的に変更可能である。
【００８５】
このように、カメラ撮影を行っているユーザは、撮影中に、着信により撮影を妨害されることなく、撮影を終了したときに、撮影中に着信があったことを文字やアイコン等を用い表示画面に表示することでその旨をユーザに報知することができる。
【００８６】
このとき、単に着信があったことのみならず、着信相手等の属性情報についても表示することでユーザに多数の情報を知らせることができる。
【００８７】
また、表示による着信報知の他に、振動、点灯、点滅、音、音声等により報知する、視覚に頼らない、触覚や聴覚による方法で、撮影中に着信があったことを知らせることができる。
【００８８】
更に、これらの組み合わせによる着信報知も考えられ、この場合、ユーザは、着信があったことを確実に知ることが出来る。
【００８９】
また、例えば、メール受信や音声着信等着信種別によって報知方法を異ならせることで、ユーザは、報知された時点でその着信種別を判断できる。
【００９０】
従って、メール受信を確認すればよいか、音声着信履歴を確認すればよいかを即座に判断できる。
【００９１】
更に、未応答、留守録等の応答種別に基づいて報知方法を異ならせることによって、ユーザは報知された時点で即座に応答種別を判断できる。
【００９２】
従って、着信履歴を確認すればよいのか、留守録に記録されたデータを再生すればよいのかを即座に判断できる。
【００９３】
これらにより、一層使い勝手の向上がはかれる。
【００９４】
なお、上記した本発明一実施形態において、非通信機能の一例としてカメラ撮影を上げたが、ゲーム、文章作成又は一時的に着信を受けられない運転中のドライブモード等でも同様の効果が得られる。
【００９５】
また、ゲーム等、暇つぶしの要素が強いアプリケーションの場合は、通信優先の設定を行えば、相手に迷惑をかけることなく着信を受けることが出来る。
【図面の簡単な説明】
【００９６】
【図１】本発明の一実施形態であるカメラ付き携帯電話の外観構成を示す図である。
【図２】本発明の一実施形態であるカメラ付き携帯電話の外観構成を示す図である。
【図３】本発明の一実施形態であるカメラ付き携帯電話の回路構成を示すブロック図である。
【図４】本発明の一実施形態であるカメラ付き携帯電話の動作を示すフローチャートである。
【符号の説明】
【００９７】
１…携帯電話本体、２、１１…アンテナ、３、２１…操作部、４、１５…マイク、５、２３…カメラ、６…着信用ＬＥＤ、７…着信報知用スピーカ、８、１７…受話スピーカ、、２０…表示部、１２…無線部、１３…ＤＳＰ、１４…Ａ／Ｄコンバータ、１６…Ｄ／Ａコンバータ、１８…制御部、１９…メモリ、２２…バス、２４…画像処理プロセッサ、２５…バッファメモリ、２６…有線／無線通信インターフェース
【図１】
0004804519.tif 000002
【図２】
0004804519.tif 000003
【図３】
0004804519.tif 000004
【図４】
0004804519.tif 000005